(57)【要約】【課題】圧縮機から燃焼器の燃焼筒に供給される圧縮空気の圧力損失を低減することのできる圧縮機ディフューザを提供する。【解決手段】圧縮機ディフューザは、回転軸の回転を利用して圧縮空気を生成可能な圧縮機と、回転軸の周りに配置され、圧縮空気を利用して燃焼ガスを生成可能な複数の燃焼器の各々との間に配置される圧縮機ディフューザにおいて、圧縮機の出口と燃焼器の燃焼筒との間に配置され、圧縮空気の少なくとも一部を燃焼器へと流入させるように構成されたディフューザ外壁と、ディフューザ外壁の内表面に開口し、ディフューザ外壁の内側に区画された拡大流路とディフューザ外壁の外側に区画された空間とを連通する、少なくとも１つの第１の埋め込み型ダクトと、を備え、ディフューザ外壁は、圧縮機側に回転軸を中心とする扇形状の開口を有し、第１の埋め込み型ダクトの開口の幅及び深さは、圧縮機側から燃焼筒側に向けて徐々に大きくなっている。【選択図】  図２
2018096324.tif 000002
【特許請求の範囲】
【請求項１】
回転軸の回転を利用して圧縮空気を生成可能な圧縮機と、前記回転軸の周りに配置され、前記圧縮空気を利用して燃焼ガスを生成可能な複数の燃焼器の各々との間に配置される圧縮機ディフューザにおいて、
前記圧縮機の出口と前記燃焼器の燃焼筒との間に配置され、前記圧縮空気の少なくとも一部を前記燃焼器へと流入させるように構成されたディフューザ外壁と、
前記ディフューザ外壁の内表面に開口し、前記ディフューザ外壁の内側に区画された拡大流路と前記ディフューザ外壁の外側に区画された空間とを連通する、少なくとも１つの第１の埋め込み型ダクトと、
を備え、
前記ディフューザ外壁は、前記圧縮機側に前記回転軸を中心とする扇形状の開口を有し、
前記第１の埋め込み型ダクトの開口の幅及び深さは、前記圧縮機側から前記燃焼筒側に向けて徐々に大きくなっている、
圧縮機ディフューザ。
【請求項２】
前記第１の埋め込み型ダクトの開口の後縁は、厚さ方向中央部が前記圧縮機に向かって突出する凸形状を有する、請求項１に記載の圧縮機ディフューザ。
【請求項３】
前記ディフューザ外壁は、前記回転軸の径方向にて前記回転軸側に位置する内側領域と、前記内側領域よりも前記回転軸から遠方に位置する外側領域とを有し、
前記第１の埋め込み型ダクトは、前記ディフューザ外壁の外側領域に配置される、請求項１又は２に記載の圧縮機ディフューザ。
【請求項４】
前記第１の埋め込み型ダクトは、前記回転軸の軸方向にて前記圧縮機側に配置される、請求項１から３の何れか一項に記載の圧縮機ディフューザ。
【請求項５】
前記ディフューザ外壁は、前記回転軸の径方向にて前記回転軸側に位置する内側領域と、前記内側領域よりも前記回転軸から遠方に位置する外側領域とを有し、
前記第１の埋め込み型ダクトは、前記ディフューザ外壁の内側領域に配置される、請求項１から４の何れか一項に記載の圧縮機ディフューザ。
【請求項６】
前記ディフューザ外壁の外側にて前記第１の埋め込み型ダクトに接続され、前記ディフューザ外壁との間に前記圧縮機側から前記燃焼器側に向かって徐々に断面積が拡大する延伸流路を区画する延伸ディフューザをさらに備える、請求項１から５の何れか一項に記載の圧縮機ディフューザ。
【請求項７】
前記ディフューザ外壁の内側に配置され、前記ディフューザ外壁との間に区画される前記拡大流路の断面積の拡大を制限するディフューザ内壁をさらに備える、請求項１から６の何れか一項に記載の圧縮機ディフューザ。
【請求項８】
前記ディフューザ内壁は、横断面視にて円形状の輪郭を有する、請求項７に記載の圧縮機ディフューザ。
【請求項９】
前記ディフューザ内壁は、横断面視にて楕円形状の輪郭を有する、請求項７に記載の圧縮機ディフューザ。
【請求項１０】
前記ディフューザ内壁は、前記圧縮機側において前記扇形状の開口の中央で前記回転軸を中心とする円弧からなる線状に形成され、前記燃焼器側において前記ディフューザ外壁の開口よりも小さい円形状に形成される、請求項７に記載の圧縮機ディフューザ。
【請求項１１】
前記ディフューザ内壁の外表面に開口し、前記拡大流路と前記ディフューザ内壁の内部に区画された内部流路とを連通する、少なくとも１つの第２の埋め込み型ダクトをさらに備え、
前記第２の埋め込み型ダクトの開口の幅及び深さは、前記圧縮機側から前記燃焼筒側に向けて徐々に大きくなっている、
請求項７から１０の何れか一項に記載の圧縮機ディフューザ。
【請求項１２】
回転軸の回転を利用して圧縮空気を生成可能な圧縮機と、
前記回転軸の周りに配置され、前記圧縮空気を利用して燃焼ガスを生成可能な複数の燃焼器と、
前記燃焼ガスを利用して前記回転軸を回転させるタービンと、
請求項１から１１の何れか一項に記載の圧縮機ディフューザと、
を備える、ガスタービン。
【発明の詳細な説明】
【技術分野】
【０００１】
本開示は、圧縮機ディフューザ及びガスタービンに関する。
【背景技術】
【０００２】
一般的なガスタービンは、圧縮空気を生成する圧縮機と、圧縮機で生成された圧縮空気を用いて燃焼ガスを生成する燃焼器と、燃焼器で生成された燃焼ガスによって回転駆動するタービンと、を備えている。また、上記ガスタービンにあっては、圧縮機により圧縮された圧縮空気を、回転軸の周りに形成された車室を介し、燃焼器において回転軸の周りに複数配置された各燃焼筒に供給している。また、圧縮機の出口側には、一般に、圧縮空気の動圧を静圧に変換するためのディフューザ（圧縮機ディフューザ）が設けられている。このディフューザは、車室側に向かって流路断面積が徐々に拡大するように形成され、車室に流れ込む圧縮空気の動圧を静圧に変換している（例えば、特許文献１参照）。
特許文献２には、ターボファンガスタービンエンジンのバイパス流路にＮＡＣＡダクトを採用した例が開示されている。ＮＡＣＡダクトは、バイパス流路を流れるファンエアの一部を、エンジンケースの冷却空気として第１高圧室に向かわせる。なお、ＮＡＣＡは、アメリカ航空諮問委員会の略である。
【先行技術文献】
【特許文献】
【０００３】
【特許文献１】特開２０１４−１８５５３９号公報
【特許文献２】米国特許第９，０４５，９９８号明細書
【発明の概要】
【発明が解決しようとする課題】
【０００４】
特許文献１に示されるようなガスタービンにあっては、圧縮機で生成された圧縮空気がディフューザから回転軸に沿ってタービン側に向けて車室に流れ込むが、その後に車室内で圧縮機側に向けて反転し、さらに燃焼器入口で反転して燃焼筒内に供給される。このように、圧縮空気は、車室内で反転しながら燃焼筒に供給され、反転する度に圧力損失が増大する。また、特許文献１に示されるようなガスタービンにあっては、圧縮機で生成された圧縮空気が車室内で急拡大されるため圧力損失が増大する。このため、主にタービンを回転駆動する効率や圧縮空気による冷却の効率が低下し、ひいてはガスタービン全体の効率を低下させることになる。
一方、特許文献２には、高圧圧縮機から吐出された高温高圧の空気を如何にして燃焼器に導くかという点について具体的な記載はない。
【０００５】
上述の事情に鑑みて、本発明の少なくとも一実施形態は、圧縮機から燃焼器の燃焼筒に供給される圧縮空気の圧力損失を低減することのできる圧縮機ディフューザおよびガスタービンを提供することを目的とする。
【課題を解決するための手段】
【０００６】
（１）本発明の少なくとも一実施形態に係る圧縮機ディフューザは、
回転軸の回転を利用して圧縮空気を生成可能な圧縮機と、前記回転軸の周りに配置され、前記圧縮空気を利用して燃焼ガスを生成可能な複数の燃焼器の各々との間に配置される圧縮機ディフューザにおいて、
前記圧縮機の出口と前記燃焼器の燃焼筒との間に配置され、前記圧縮空気の少なくとも一部を前記燃焼器へと流入させるように構成されたディフューザ外壁と、
前記ディフューザ外壁の内表面に開口し、前記ディフューザ外壁の内側に区画された拡大流路と前記ディフューザ外壁の外側に区画された空間とを連通する、少なくとも１つの第１の埋め込み型ダクトと、
を備え、
前記ディフューザ外壁は、前記圧縮機側に前記回転軸を中心とする扇形状の開口を有し、
前記第１の埋め込み型ダクトの開口の幅及び深さは、前記圧縮機側から前記燃焼筒側に向けて徐々に大きくなっている。
【０００７】
上記（１）の構成によれば、扇形状の開口からディフューザ外壁の内側に区画された拡大流路に流入させた圧縮空気が燃焼器の燃焼筒に供給される。この際、拡大流路では、流路面積が徐々に拡大されているので、拡大流路における圧縮空気の流れの圧力損失を低減することができる。
また、拡大流路に流入させた圧縮空気の一部が第１の埋め込み型ダクトを通り、ディフューザ外壁の外側に区画された空間に抽気される。第１の埋め込み型ダクトの開口の幅及び深さは、圧縮機側から燃焼筒側に向けて徐々に大きくなっているので、第１の埋め込み型ダクトを通じて拡大流路の圧縮空気の一部を抽気しても、拡大流路における圧縮空気の流れが乱れることが防止される。
更に、第１の埋め込み型ダクトの開口の幅及び深さは、圧縮機側から燃焼筒側に向けて徐々に大きくなっているので、ディフューザ外壁の外側の空間に向けて、ディフューザ外壁の内側の拡大流路から圧縮空気を円滑に抽気することができる。
これらの結果、圧縮機から燃焼器の燃焼筒に供給される圧縮空気の圧力損失を低減することができる。
【０００８】
（２）幾つかの実施形態では、上記（１）の構成において、
前記第１の埋め込み型ダクトの開口の後縁は、厚さ方向中央部が前記圧縮機に向かって突出する凸形状を有する。
上記（２）の構成によれば、第１の埋め込み型ダクトの開口の後縁は、厚さ方向中央部が圧縮機に向かって突出する凸形状を有するので、拡大流路における圧縮空気の流れに乱れが発生することが抑制されるとともに、ディフューザ外壁の外側の空間に向けて拡大流路から圧縮空気の一部が円滑に抽気される。これにより、圧縮機から燃焼器の燃焼筒に供給される圧縮空気の圧力損失を更に低減することができる。
【０００９】
（３）幾つかの実施形態では、上記（１）又は（２）の構成において、
前記ディフューザ外壁は、前記回転軸の径方向にて前記回転軸側に位置する内側領域と、前記内側領域よりも前記回転軸から遠方に位置する外側領域とを有し、
前記第１の埋め込み型ダクトは、前記ディフューザ外壁の外側領域に配置される。
上記（３）の構成によれば、第１の埋め込み型ダクトは、ディフューザ外壁の外側領域に配置されるので、圧縮機の外周側で発達した境界層を構成する圧縮空気が、第１の埋め込み型ダクトを通じて、ディフューザ外壁の外側の空間に吸引される。これにより、拡大流路に流入させた圧縮空気の一部をディフューザ外壁の外側の空間に抽気しても拡大流路における圧縮空気の流れが乱れることが防止される。
この結果、圧縮機から燃焼器の燃焼筒に供給される圧縮空気の圧力損失を低減することができる。
【００１０】
（４）幾つかの実施形態では、上記（１）から（３）の何れか一つの構成において、
前記第１の埋め込み型ダクトは、前記回転軸の軸方向にて前記圧縮機側に配置される。
上記（４）の構成によれば、第１の埋め込み型ダクトは、回転軸の軸方向にて圧縮機側に配置されるので、圧縮機の外周側で発達した境界層を構成する圧縮空気が、圧縮機側に配置された第１の埋め込み型ダクトを通じて、ディフューザ外壁の外側の空間に吸引される。これにより、圧縮機の外周側で発達した境界層を構成する圧縮空気が、圧縮機からの吐出直後に吸引され、拡大流路に流入させた圧縮空気の一部をディフューザ外壁の外側の空間に抽気しても拡大流路における圧縮空気の流れが乱れることが防止される。
この結果、圧縮機から燃焼器の燃焼筒に供給される圧縮空気の圧力損失をさらに低減することができる。
【００１１】
（５）幾つかの実施形態では、上記（１）から（４）の何れか一つの構成において、
前記ディフューザ外壁は、前記回転軸の径方向にて前記回転軸側に位置する内側領域と、前記内側領域よりも前記回転軸から遠方に位置する外側領域とを有し、
前記第１の埋め込み型ダクトは、前記ディフューザ外壁の内側領域に配置される。
上記（５）の構成によれば、第１の埋め込み型ダクトは、ディフューザ外壁の内側領域に配置されるので、圧縮機の内周側で発達した境界層を構成する圧縮空気が、第１の埋め込み型ダクトを通じて、ディフューザ外壁の外側の空間に吸引される。これにより、拡大流路に流入させた圧縮空気の一部をディフューザ外壁の外側の空間に抽気しても拡大流路における圧縮空気の流れが乱れることが防止される。
この結果、圧縮機から燃焼器の燃焼筒に供給される圧縮空気の圧力損失を低減することができる。
【００１２】
（６）幾つかの実施形態では、上記（１）から（５）の何れか一つの構成において、
前記ディフューザ外壁の外側にて前記第１の埋め込み型ダクトに接続され、前記ディフューザ外壁との間に前記圧縮機側から前記燃焼器側に向かって徐々に断面積が拡大する延伸流路を区画する延伸ディフューザをさらに備える。
上記（６）の構成によれば、ディフューザ外壁の外側にて第１の埋め込み型ダクトに接続され、ディフューザ外壁との間に圧縮機側から燃焼器側に向かって徐々に断面積が拡大する延伸流路を区画する延伸ディフューザをさらに備えるので、第１の埋め込み型ダクトからディフューザ外壁の外側の空間に抽気された圧縮空気の流れの急拡大が抑制され、圧力損失を抑制することができる。
【００１３】
（７）幾つかの実施形態では、上記（１）から（６）の何れか一つの構成において、
前記ディフューザ外壁の内側に配置され、前記ディフューザ外壁との間に区画される前記拡大流路の断面積の拡大を制限するディフューザ内壁をさらに備える。
上記（７）の構成によれば、ディフューザ内壁によって、拡大流路の流路面積の変化が抑制されているので、拡大流路における圧縮空気の流れの圧力損失を低減することができる。
【００１４】
（８）幾つかの実施形態では、上記（７）の構成において、
前記ディフューザ内壁は、横断面視にて円形状の輪郭を有する。
上記（８）の構成によれば、ディフューザ内壁は、横断面視にて円形状の輪郭を有するので、簡単な構成にて、拡大流路の流路面積の変化を抑制することができる。
【００１５】
（９）幾つかの実施形態では、上記（７）の構成において、
前記ディフューザ内壁は、横断面視にて楕円形状の輪郭を有する。
上記（９）の構成によれば、ディフューザ内壁は、横断面視にて楕円形状の輪郭を有するので、ディフューザ外壁が圧縮機側に扇形状の開口を有していても、拡大流路の流路面積の変化を的確に抑制することができる。
【００１６】
（１０）幾つかの実施形態では、上記（７）の構成において、
前記ディフューザ内壁は、前記圧縮機側において前記扇形状の開口の中央で前記回転軸を中心とする円弧からなる線状に形成され、前記燃焼器側において前記ディフューザ外壁の開口よりも小さい円形状に形成される。
上記（１０）の構成によれば、ディフューザ内壁は、圧縮機側において扇形状の開口の中央で回転軸を中心とする円弧からなる線状に形成され、燃焼器側においてディフューザ外壁の開口よりも小さい円形状に形成されるので、ディフューザ外壁が圧縮機側に扇形状の開口を有していても、拡大流路の流路面積の変化を的確に抑制することができる。
【００１７】
（１１）幾つかの実施形態では、上記（７）から（１０）の何れか一つの構成において、
前記ディフューザ内壁の外表面に開口し、前記拡大流路と前記ディフューザ内壁の内部に区画された内部流路とを連通する、少なくとも１つの第２の埋め込み型ダクトをさらに備え、
前記第２の埋め込み型ダクトの開口の幅及び深さは、前記圧縮機側から前記燃焼筒側に向けて徐々に大きくなっている。
上記（１１）の構成によれば、拡大流路に流入させた圧縮空気の一部が第２の埋め込み型ダクトを通り、ディフューザ内壁の内部に区画された内部流路に供給される。第２の埋め込み型ダクトの開口の幅及び深さは、圧縮機側から前記燃焼筒側に向けて徐々に大きくなっているので、第２の埋め込み型ダクトを通じて拡大流路の圧縮空気の一部を抽気しても拡大流路における圧縮空気の流れが乱れることが防止される。また、第２の埋め込み型ダクトの開口の幅及び深さは、圧縮機側から前記燃焼筒側に向けて徐々に大きくなっているので、第２の埋め込み型ダクトを通じて、ディフューザ内壁の内側の内部流路に圧縮空気の一部を円滑に供給することができる。
【００１８】
（１２）幾つかの実施形態に係るガスタービンは、回転軸の回転を利用して圧縮空気を生成可能な圧縮機と、
前記回転軸の周りに配置され、前記圧縮空気を利用して燃焼ガスを生成可能な複数の燃焼器と、
前記燃焼ガスを利用して前記回転軸を回転させるタービンと、
上記（１）から（１１）の何れか一つに記載の圧縮機ディフューザと、
を備える。
上記（１２）の構成によれば、圧縮機から燃焼器の燃焼筒に供給される圧縮空気の圧力損失を低減することができるので、ガスタービンの効率を向上させることができる。
【発明の効果】
【００１９】
本発明の少なくとも一実施形態によれば、圧縮機から燃焼器の燃焼筒に供給される圧縮空気の圧力損失を低減することができる。
【図面の簡単な説明】
【００２０】
【図１】本発明の一実施形態に係るガスタービンの構成を概略的に示す構成図である。
【図２】一実施形態に係る圧縮機ディフューザを示すガスタービンの燃焼器周辺の拡大断面図である。
【図３】一実施形態に係る圧縮機ディフューザを示すガスタービンの燃焼器周辺の拡大断面図である。
【図４】一実施形態に係る圧縮機ディフューザを示すガスタービンの燃焼器周辺の拡大断面図である。
【図５】一実施形態に係る圧縮機ディフューザを示すガスタービンの燃焼器周辺の拡大断面図である。
【図６】一実施形態に係る第１の埋め込み型ダクトの構成を概略的に示す図であり（ａ）は斜視図、（ｂ）は平面図、（ｃ）は縦断面図である。
【図７】ディフューザ外壁に配置される第１の埋め込みディフューザの位置を説明するための模式図である。
【図８】一実施形態に係る圧縮機ディフューザの構成を概略的に示す構成図であり、（ａ）は斜視図、（ｂ）は縦断面図である。
【図９】一実施形態に係る圧縮機ディフューザの構成を概略的に示す構成図であり、（ａ）は斜視図、（ｂ）は縦断面図である。
【図１０】一実施形態に係る圧縮機ディフューザの構成を概略的に示す構成図であり、（ａ）は斜視図、（ｂ）は縦断面図である。
【図１１】一実施形態に係る圧縮機ディフューザの構成を概略的に示す構成図であり、（ａ）は斜視図、（ｂ）は縦断面図である。
【図１２】一実施形態に係る圧縮機ディフューザの構成を概略的に示す構成図であり、（ａ）は斜視図、（ｂ）は縦断面図である。
【図１３】一実施形態に係る第２の埋め込み型ダクトの構成を概略的に示す図であり、（ａ）は斜視図、（ｂ）は平面図（ｃ）は縦断面図である。
【図１４】ディフューザ内壁に配置される第２の埋め込み型ダクトの位置を説明するための模式図である。
【図１５】一実施形態に係る圧縮機ディフューザの構成を概略的に示す構成図であり、（ａ）は斜視図、（ｂ）は縦断面図である。
【図１６】一実施形態に係る第１の埋め込み型ダクト及び第１の延伸ディフューザの構成を概略的に示す構成図である。
【図１７】一実施形態に係る第２の埋め込み型ダクト及び第２の延伸ディフューザの構成を概略的に示す構成図である。
【発明を実施するための形態】
【００２１】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２２】
図１は、本発明の一実施形態に係るガスタービン１０の構成を概略的に示す構成図である。図２から図５は、本発明の一実施形態に係る圧縮機ディフューザ５を示すガスタービン１０の燃焼器２周辺の拡大断面図である。
【００２３】
図１に示すように、幾つかの実施形態に係るガスタービン１０は、圧縮機１、複数の燃焼器２及びタービン３を備えている。このガスタービン１０は、圧縮機１及びタービン３を貫通して配置された、回転軸であるタービン軸４を備え、複数の燃焼器２はタービン軸４の周りに配置されている。圧縮機１、燃焼器２及びタービン３は、タービン軸４の軸線Ｃに沿って、空気の流れ方向にて上流から下流に向けて順次設置されている。
尚、以下の説明において、タービン軸４の軸線Ｃの軸線方向をタービン軸方向、タービン軸４の軸線Ｃを中心とする周方向をタービン周方向、タービン軸４の軸線Ｃに直交する方向をタービン径方向という。
【００２４】
圧縮機１は、タービン軸４の回転を利用して圧縮空気を生成可能である。圧縮機１は、圧縮機ケーシング１２、複数の圧縮機静翼１３及び複数の圧縮機動翼１４を有する。圧縮機ケーシング１２は、円筒形状に形成され、その内部をタービン軸４が貫通するとともに、その内部に圧縮機静翼１３及び圧縮機動翼１４を収容する円筒形状の空間を有している。また、圧縮機ケーシング１２は、その空気流れ方向上流に空気取入口１１を有し、その空気流れ方向下流に出口１６（図２参照）を有している。空気取入口１１は、空気流れ方向上流から圧縮機ケーシング１２の内部に空気を取り入れ可能である。出口１６は、タービン軸４を中心とする円環形状に形成され、圧縮機１で生成された圧縮空気を吐出可能である。
【００２５】
圧縮機静翼１３は、タービン軸４の軸線Ｃを中心としてタービン軸方向及びタービン周方向に整列した状態で、圧縮機ケーシング１２の内周に固定されている。圧縮機動翼１４は、タービン軸方向において圧縮機静翼１３と交互に位置するように、タービン軸４の軸線Ｃを中心としてタービン軸方向及びタービン周方向に整列した状態で、タービン軸４の外周に固定されている。
【００２６】
複数の燃焼器２の各々は、圧縮機１で生成された圧縮空気を利用して燃焼ガスを生成可能である。燃焼器２には、圧縮機１で生成された圧縮空気とともに燃料を供給可能であり、燃料が燃焼することで燃焼ガスが生成される。
複数の燃焼器２は、燃焼器ケーシング２３内に配置されている。より詳しくは、燃焼器ケーシング２３は、円筒形状に形成され、その内部をタービン軸４が貫通するとともに、その内部に複数の燃焼器２を収容する円筒形状の空間（以下「車室Ｒ」という）を有している。
【００２７】
複数の燃焼器２は、タービン周方向に配置されている。複数の燃焼器２は、例えば、１６個の燃焼器２で構成され、タービン周方向にて等間隔に配置されている。
【００２８】
図２から図５に示すように、複数の燃焼器２の各々は、燃焼筒２１及び尾筒２２を有する。
燃焼筒２１には、圧縮機１で生成された圧縮空気とともに燃料を供給可能であり、燃料が燃焼することで燃焼ガスが生成される。
燃焼筒２１は、円筒形状に形成され、燃焼筒２１の軸線がタービン軸方向に沿って配置されている。燃焼筒２１の一端開口が給気口２４とされ、当該給気口２４が圧縮機１の出口１６に向けて配置されている。
【００２９】
燃焼筒２１の内部に内筒２１Ｃが配置されている。内筒２１Ｃは、燃焼筒２１よりも小径な円筒形状に形成され、内筒２１Ｃの軸線が燃焼筒２１の軸線に一致するように配置されている。内筒２１Ｃの一端開口が給気口２５とされる。これにより、内筒２１Ｃの内側と外側とに流路が区画される。
【００３０】
燃焼筒２１の内部であって、内筒２１Ｃの出口部にパイロット燃焼バーナ２１Ａが設置されている。パイロット燃焼バーナ２１Ａは、燃焼筒２１の軸線上に設置され、内筒２１Ｃの内側に区画された流路から圧縮空気が供給される。
パイロット燃焼バーナ２１Ａは、燃焼筒２１に支持されたパイロットコーン２１Ａａと、パイロットコーン２１Ａａの内部に設置されたパイロットノズル２１Ａｂとから構成されている。パイロットノズル２１Ａｂには図示しないパイロット燃料ラインが接続され、パイロット燃料ラインからパイロットノズル２１Ａｂに燃料が供給される。
【００３１】
燃焼筒２１の内部には、パイロット燃焼バーナ２１Ａを取り囲むように複数のメイン燃焼バーナ２１Ｂが設置されている。メイン燃焼バーナ２１Ｂは、内筒２１Ｃの外側に配置され、内筒２１Ｃの外側に区画された流路から圧縮空気が供給される。
各メイン燃焼バーナ２１Ｂは、メインノズル２１Ｂａと、メインノズル２１Ｂａの外周部に設けられる旋回翼（スワラーベーン）２１Ｂｂとから構成されている。各メインノズル２１Ｂａには図示しないメイン燃料ラインが接続され、メイン燃料ラインから各メインノズル２１Ｂａに燃料が供給される。
【００３２】
尾筒２２は、燃焼筒２１で生成された燃焼ガスを燃焼筒２１からタービン３に導出可能である。
【００３３】
上述した燃焼器２では、高温・高圧の圧縮空気が給気口２４から燃焼筒２１の内部に流れ込むと、圧縮空気がメイン燃焼バーナ２１Ｂから噴射された燃料と混合され、予混合気の旋回流を生成する。
また、高温・高圧の圧縮空気が給気口２５から内筒２１Ｃの内部に流れ込むと、圧縮空気がパイロット燃焼バーナ２１Ａから噴射された燃料と混合され、図示せぬ種火により着火されて燃焼し、燃焼ガスとなって燃焼筒２１内に噴出される。このとき、燃焼ガスの一部が燃焼筒２１内に火炎を伴って周囲に拡散するように噴出されることで、各メイン燃焼バーナ２１Ｂから燃焼筒２１内に流れ込んだ予混合気に着火されて燃焼する。すなわち、パイロット燃焼バーナ２１Ａから噴射されたパイロット燃料による拡散火炎により、メイン燃焼バーナ２１Ｂからの希薄予混合燃料の安定燃焼を行うための保炎を行うことができる。
【００３４】
図１に示すように、タービン３は、燃焼ガスを利用してタービン軸４の回転動力を生成可能である。タービン３は、タービンケーシング３１、複数のタービン静翼３２及び複数のタービン動翼３３を有する。タービンケーシング３１は、円筒形状に形成され、その内部をタービン軸４が貫通するとともに、その内部にタービン静翼３２及びタービン動翼３３を収容する円筒形状の空間を有している。また、タービンケーシング３１は、その空気流れ方向下流に排気室３４を有している。排気室３４は、排気ディフューザ３４ａを有し、タービン軸４の回転動力を生成した排気ガスを排出可能である。複数のタービン静翼３２は、タービン軸４の軸線Ｃを中心としてタービン軸方向及びタービン周方向に整列した状態で、タービンケーシング３１の内周に固定されている。複数のタービン動翼３３は、タービン軸方向においてタービン静翼３２と交互に位置するように、タービン軸４の軸線Ｃを中心としてタービン軸方向及びタービン周方向に整列した状態で、タービン軸４の外周に固定されている。
【００３５】
タービン軸４は、圧縮機１側の端部が軸受部４１に支持され、排気室３４側の端部が軸受部４２に支持されている。これにより、タービン軸４は、タービン軸４の軸線Ｃを中心として回転自在である。また、タービン軸４は、図に明示しないが、圧縮機１側の端部に発電機の駆動軸が連結されている。
【００３６】
上述したガスタービン１０は、圧縮機１の空気取入口１１から空気が取り込まれ、かかる空気が複数の圧縮機静翼１３と圧縮機動翼１４を通過することで圧縮される。これにより、圧縮機１を通過した空気は高温・高圧の圧縮空気となる。そして、この高温・高圧の圧縮空気は、燃焼器２に対し燃料とともに供給され、燃料が燃焼することで高温・高圧の燃焼ガスが生成される。この燃焼ガスがタービン３のタービン静翼３２とタービン動翼３３とを通過することでタービン軸４の回転動力が生成され、タービン軸４が回転駆動される。そして、タービン軸４に連結された発電機に回転動力を付与することで発電が行われる。一方、タービン軸４を回転駆動した後の排気ガスは、排気室３４の排気ディフューザ３４ａを経て排気ガスとして大気に放出される。
【００３７】
図２から図５に示すように、幾つかの実施形態に係るガスタービン１０は、圧縮機１と複数の燃焼器２の各々との間に圧縮機ディフューザ５が配置される。圧縮機ディフューザ５は、圧縮機１で生成された圧縮空気を複数の燃焼器２の各々に流入させるように構成される。圧縮機ディフューザ５は、燃焼器２の個数と同数（複数）で構成され、複数の圧縮機ディフューザ５は、タービン周方向に配置されている。複数の圧縮機ディフューザ５は、例えば、１６個の圧縮機ディフューザ５で構成され、タービン周方向にて等間隔に配置されている。
【００３８】
図８から図１２及び図１５は、それぞれ一実施形態に係る圧縮機ディフューザ５の構成を概略的に示す構成図であり、（ａ）は斜視図、（ｂ）は縦断面図である。
図２から図５、図８から図１２及び図１５に示すように、圧縮機ディフューザ５（５Ａ〜５Ｅ，５Ｘ〜５Ｚ）は、ディフューザ外壁５０を含む。なお、以下では、圧縮機ディフューザ５Ａ〜５Ｅ，５Ｘ〜５Ｚを一括して圧縮機ディフューザ５とも称する。
ディフューザ外壁５０は、圧縮機１の出口１６と燃焼器２の燃焼筒２１との間に配置され、圧縮空気の少なくとも一部を燃焼器２へと流入させるように構成される。ディフューザ外壁５０は、筒形形状に形成されている。ディフューザ外壁５０の一端が圧縮機１の出口１６に接続され、他端が燃焼器２の燃焼筒２１、即ち給気口２４の外周に接続されている。これにより、ディフューザ外壁５０は、自身の内部に、圧縮機１で生成された圧縮空気を燃焼器２に導く流路（拡大流路Ｃ１）を構成する。
【００３９】
ディフューザ外壁５０は、圧縮機１側に圧縮機１の出口１６に接続される開口を有する。ここで、圧縮機１の出口１６はタービン軸４を中心とする円環形状に形成されているため、ディフューザ外壁５０は、圧縮機１側に圧縮機１の出口１６を燃焼器２の個数で分割した形状の開口、すなわち、タービン軸４を中心とする扇形状の開口（入口開口）５１を有する。換言すれば、ディフューザ外壁５０は、タービン軸４を中心とする二重円弧部を含む入口開口５１を有する。
【００４０】
ディフューザ外壁５０は、燃焼器２側に燃焼器２の給気口２４に接続される開口を有する。ここで、燃焼器２の給気口２４の外周は円形状に形成されているため、ディフューザ外壁５０は、燃焼器２側に給気口２４の外周と同一形状の入口開口、すなわち、燃焼器２の軸線を中心とする円形状の開口（出口開口）５２を有する。
【００４１】
ディフューザ外壁５０は、自身の内部の拡大流路Ｃ１が入口開口５１から出口開口５２に向けて連続し、拡大流路Ｃ１の流路断面積が入口開口５１から出口開口５２に向けて徐々に大きくなるように形成されている。したがって、ディフューザ外壁５０では、自身の内部の拡大流路Ｃ１が入口開口５１における扇形状から出口開口５２における円形状に徐々に変化し、流路断面積が入口開口５１から出口開口５２に向けて徐々に拡大される。これにより、ディフューザ外壁５０は、圧縮機１にて生成された圧縮空気の動圧を静圧に変換して燃焼器２に供給可能である。
【００４２】
上述した実施形態に係る圧縮機ディフューザ５によれば、圧縮機１が生成する圧縮空気の一部を複数の燃焼器２の各々に直接流入させるので、圧縮機が生成する圧縮空気を車室Ｒを経て燃焼器に供給する構成（図示せず）と比較して圧縮空気の反転を生じさせず、かつ圧縮空気の急拡大を抑制するため、圧縮空気の圧力損失を低減することができる。これにより、圧縮機１から燃焼器２に流入させる圧縮空気の圧力損失を低減することができる。
【００４３】
図２から図５、図８から図１２及び図１５に示すように、幾つかの実施形態に係る圧縮機ディフューザ５は、更に、第１の埋め込み型ダクト６を備える。第１の埋め込み型ダクト６は、ディフューザ外壁５０の内表面に開口し、ディフューザ外壁５０の内側に区画された拡大流路Ｃ１とディフューザ外壁５０の外側に区画された空間（車室Ｒ）とを連通する。また、第１の埋め込み型ダクト６の開口６１の幅Ｗ１及び深さＨ１は、圧縮機１側から燃焼筒２１側に向けて徐々に大きくなっている（図６参照）。
上述した実施形態に係る圧縮機ディフューザ５によれば、拡大流路Ｃ１に流入させた圧縮空気の一部が第１の埋め込み型ダクト６を通り、ディフューザ外壁５０の外側に区画された空間（「車室Ｒ」という）に抽気される。第１の埋め込み型ダクト６の開口６１の幅Ｗ１及び深さＨ１は、圧縮機１側から燃焼筒２１側に向けて徐々に大きくなっているので、第１の埋め込み型ダクト６を通じて拡大流路Ｃ１の圧縮空気の一部を抽気しても拡大流路Ｃ１における圧縮空気の流れが乱れることが防止される。
更に、第１の埋め込み型ダクト６の開口６１の幅Ｗ１及び深さＨ１は、圧縮機１側から燃焼筒２１側に向けて徐々に大きくなっているので、ディフューザ外壁５０の外側の空間に向けて、ディフューザ外壁５０の内側の拡大流路Ｃ１から圧縮空気を円滑に抽気することができる。
これらの結果、圧縮機１から燃焼器２の燃焼筒２１に供給される圧縮空気の圧力損失を低減することができる。
【００４４】
図６は、第１の埋め込み型ダクト６の構成を概略的に示す図であり（ａ）は斜視図、（ｂ）は平面図、（ｃ）は縦断面図である。
図６に示すように、幾つかの実施形態に係る第１の埋め込み型ダクト６の開口６１の後縁６１ａ（リップ）は、厚さ方向中央部が圧縮機１に向かって突出する凸形状を有する。
上述した実施形態に係る第１の埋め込み型ダクト６の開口６１の後縁６１ａによれば、厚さ方向中央部が圧縮機１に向かって突出する凸形状を有するので、拡大流路Ｃ１における圧縮空気の流れに乱れが発生することが抑制されるとともに、ディフューザ外壁５０の外側の空間に向けて拡大流路Ｃ１から圧縮空気の一部が円滑に抽気される。これにより、圧縮機１から燃焼器２の燃焼筒２１に供給される圧縮空気の圧力損失を更に低減することができる。
幾つかの実施形態では、第１の埋め込み型ダクト６は、いわゆるＮＡＣＡダクトである。
【００４５】
図２から図５に示すように、幾つかの実施形態に係るガスタービン１０は、更に、冷却装置８を備えている。冷却装置８は、タービン静翼３２、タービン動翼３３、タービン軸４等の冷却が可能であり、例えば、タービン軸４とタービン軸４の外周に装着された中間軸カバー４３との間に形成された円環状（リング形状）の空間に冷却された空気（抽気）を供給可能である。
【００４６】
冷却装置８は、排気管８１、給気管８２、冷却管８３及び熱交換器８４を有する。排気管８１は、燃焼器ケーシング２３を貫通し、ディフューザ外壁５０の外側に区画された空間（車室Ｒ）から燃焼器ケーシング２３の外部に通じる。給気管８２は、燃焼器ケーシング２３を貫通し、燃焼器ケーシング２３の外部から中間軸カバー４３の内部（タービン軸４側）に通じる。冷却管８３は、排気管８１と給気管８２とを連通する。熱交換器８４は、例えば、ＴＣＡクーラであり、冷却管８３の途中に設けられる。
【００４７】
これにより、第１の埋め込み型ダクトによってディフューザ外壁５０の外側に区画された空間（車室Ｒ）に取り出された圧縮空気Ｐは、排気管８１から燃焼器ケーシング２３の外部の冷却管８３に排気され熱交換器８４にて冷媒と熱交換されて給気管８２を介して中間軸カバー４３の内部に供給される。そして、この冷却された圧縮空気Ｐにより、タービン静翼３２やタービン動翼３３やタービン軸４などを冷却することができる。
【００４８】
図２から図４、図８〜図１２及び図１５に示すように、幾つかの実施形態では、ディフューザ外壁５０は、タービン径方向にてタービン軸４側に位置する内側領域Ａ１と、内側領域Ａ１よりもタービン軸４から遠方に位置する外側領域Ａ２とを有し、第１の埋め込み型ダクト６は、ディフューザ外壁５０の外側領域Ａ２に配置される。
【００４９】
上述した実施形態によれば、第１の埋め込み型ダクト６は、ディフューザ外壁５０の外側領域Ａ２に配置されるので、圧縮機１の外周側で発達した境界層を構成する圧縮空気が、第１の埋め込み型ダクト６を通じて、ディフューザ外壁５０の外側の空間に吸引される。これにより、拡大流路Ｃ１に流入させた圧縮空気の一部をディフューザ外壁５０の外側の空間に抽気しても拡大流路Ｃ１における圧縮空気の流れが乱れることが防止される。
この結果、圧縮機１から燃焼器２の燃焼筒２１に供給される圧縮空気の圧力損失を低減することができる。
【００５０】
図２及び図３に示すように、幾つかの実施形態では、第１の埋め込み型ダクト６は、タービン軸方向にて圧縮機１側に配置される。第１の埋め込み型ダクト６は、例えば、タービン軸方向にて圧縮機１と燃焼器２との中間位置よりも圧縮機１側に配置される。第１の埋め込み型ダクト６は、例えば、タービン軸方向にて圧縮機１と燃焼器２との間の距離（全長）の圧縮機１側から４分の１までの範囲内に設置される。
【００５１】
上述した実施形態によれば、タービン軸４の軸方向にて圧縮機１側に第１の埋め込み型ダクト６が配置されるので、圧縮機１の外周側で発達した境界層を構成する圧縮空気が、圧縮機１側に配置された第１の埋め込み型ダクト６を通じて、ディフューザ外壁５０の外側の空間に吸引される。これにより、圧縮機１の外周側で発達した境界層を構成する圧縮空気が、圧縮機１からの吐出直後に吸引され、拡大流路Ｃ１に流入させた圧縮空気の一部をディフューザ外壁５０の外側の空間（車室Ｒ）に抽気しても拡大流路Ｃ１における圧縮空気の流れが乱れることが防止される。
すなわち、ディフューザ外壁５０の入口開口５１に流入する圧縮空気の速度は、境界層の発達により、タービン径方向外側にて低くなっているが、この速度の低い圧縮空気を取り出すため圧力損失を低減することができる。
この結果、圧縮機１から燃焼器２の燃焼筒２１に供給される圧縮空気の圧力損失をさらに低減することができる。
【００５２】
図４に示すように、幾つかの実施形態では、第１の埋め込み型ダクト６は、タービン軸方向にて圧縮機１と燃焼器２との中間位置に配置される。第１の埋め込み型ダクト６は、例えば、タービン軸方向にて圧縮機１と燃焼器２との間の距離（全長）の圧縮機１側から測って４分の１から４分の３の間の距離に設置される。
【００５３】
上述した実施形態によれば、タービン軸方向にて圧縮機１と燃焼器２との中間位置に第１の埋め込み型ダクト６が配置されるので、圧縮機１側よりも高い圧力の圧縮空気が取り出し可能である。
すなわち、タービン軸方向にて圧縮機１と燃焼器２との中間位置では、圧縮機１側よりも圧縮空気の静圧が回復して高い圧力となり、圧縮機１側よりも高い圧力の圧縮空気が取り出し可能となる。
【００５４】
図５に示すように、幾つかの実施形態では、ディフューザ外壁５０は、タービン径方向にてタービン軸４側に位置する内側領域Ａ１と、内側領域Ａ１よりもタービン軸４から遠方に位置する外側領域Ａ２とを有し、第１の埋め込み型ダクト６は、ディフューザ外壁５０の内側領域Ａ１に配置される。
上述した実施形態によれば、第１の埋め込み型ダクト６は、ディフューザ外壁５０の内側領域Ａ１に配置されるので、圧縮機１の内周側で発達した境界層を構成する圧縮空気が、第１の埋め込み型ダクト６を通じて、ディフューザ外壁５０の外側の空間（車室Ｒ）に吸引される。これにより、拡大流路Ｃ１に流入させた圧縮空気の一部をディフューザ外壁５０の外側の空間に抽気しても拡大流路Ｃ１における圧縮空気の流れが乱れることが防止される。
この結果、圧縮機１から燃焼器２の燃焼筒２１に供給される圧縮空気の圧力損失を低減することができる。
【００５５】
図７は、ディフューザ外壁５０に配置される第１の埋め込み型ダクト６の位置を説明するための模式図である。なお、図７では、ディフューザ外壁５０の輪郭を模式的に円形で示し、第１の埋め込み型ダクト６の位置を黒丸で示している。
図７（ａ）に示すように、幾つかの実施形態に係る第１の埋め込み型ダクト６は、ディフューザ外壁５０の内側領域Ａ１又は外側領域Ａ２の何れか一方に配置される。例えば、第１の埋め込み型ダクト６は、ディフューザ外壁５０の外側領域Ａ２に設置される。
上述した実施形態によれば、第１の埋め込み型ダクト６がディフューザ外壁５０の外側領域Ａ２に配置されるので、圧縮機１の外周側で発達した境界層を構成する圧縮空気が、第１の埋め込み型ダクト６を通じて、ディフューザ外壁５０の外側の空間に吸引される。これにより、拡大流路Ｃ１に流入させた圧縮空気の一部をディフューザ外壁５０の外側の空間に抽気しても拡大流路Ｃ１における圧縮空気の流れが乱れることが防止される。
【００５６】
図７（ｂ）に示すように、幾つかの実施形態では、第１の埋め込み型ダクト６は、ディフューザ外壁５０の内側領域Ａ１及び外側領域Ａ２の両方に設置される。
上述した実施形態によれば、第１の埋め込み型ダクト６は、ディフューザ外壁５０の内側領域Ａ１及び外側領域Ａ２の両方に設置されるので、タービン径方向にて圧縮機１の内周側及び外周側で発達した境界層を構成する圧縮空気が、第１の埋め込み型ダクト６を通じて、ディフューザ外壁５０の外側の空間に吸引される。これにより、拡大流路Ｃ１に流入させた圧縮空気の一部をディフューザ外壁５０の外側の空間に抽気しても拡大流路Ｃ１における圧縮空気の流れが乱れることが防止される。
【００５７】
図３から図５、図９から図１２及び図１５に示すように、幾つかの実施形態に係る圧縮機ディフューザ５Ａ〜５Ｅ，５Ｙ，５Ｚは、ディフューザ内壁５３をさらに含む。
ディフューザ内壁５３は、ディフューザ外壁５０の内側に配置され、ディフューザ外壁５０との間に区画される拡大流路Ｃ１の断面積の拡大を制限する。例えば、ディフューザ内壁５３の外径若しくは断面積は、圧縮機１側から燃焼器２側に向けて徐々に拡大している。ディフューザ内壁５３は、その断面中心がディフューザ外壁５０の流路中心を通るように配置され、その先端５３ａが入口開口５１を介して圧縮機１の出口１６に臨む位置に配置されている。また、ディフューザ内壁５３の後端５３ｂは燃焼器２の給気口２５の外周に接続され、ディフューザ内壁５３の出口開口は、給気口２５を通じてパイロット燃焼バーナ２１Ａと対向している。
【００５８】
上述した実施形態によれば、ディフューザ内壁５３によって、拡大流路Ｃ１の流路面積の変化が抑制されているので、拡大流路Ｃ１における圧縮空気の流れの圧力損失を低減することができる。
【００５９】
図１２及び図１５に示すように、幾つかの実施形態では、ディフューザ内壁５３（５３Ａ）の後端５３ｂは燃焼器２の内筒２１Ｃ、換言すれば、給気口２５の外周又は給気口２４の内周に接続され、ディフューザ内壁５３の内部に内部流路Ｃ２が区画される。
そして、ディフューザ内壁５３（５３Ａ）に、第２の埋め込み型ダクト７が設けられている。
第２の埋め込み型ダクト７は、ディフューザ内壁５３（５３Ａ）の外表面に開口し、拡大流路Ｃ１とディフューザ内壁５３の内部に区画された内部流路Ｃ２とを連通する。第２の埋め込み型ダクト７の開口７１の幅Ｗ２及び深さＨ２は、圧縮機１側から燃焼筒２１側に向けて徐々に大きくなっている。
【００６０】
上述した実施形態に係る圧縮機ディフューザによれば、拡大流路Ｃ１に流入させた圧縮空気の一部が第２の埋め込み型ダクト７を通り、ディフューザ内壁５３（５３Ａ）の内部に区画された内部流路Ｃ２に供給される。第２の埋め込み型ダクトの開口７１の幅Ｗ２及び深さＨ２は、圧縮機１側から燃焼筒２１側に向けて徐々に大きくなっているので、第２の埋め込み型ダクト７を通じて拡大流路Ｃ１の圧縮空気の一部を抽気しても拡大流路Ｃ１における圧縮空気の流れが乱れることが防止される。また、第２の埋め込み型ダクト７の開口７１の幅Ｗ２及び深さＨ２は、圧縮機１側から燃焼筒２１側に向けて徐々に大きくなっているので、第２の埋め込み型ダクト７を通じて、ディフューザ内壁５３（５３Ａ）の内側の内部流路に圧縮空気の一部を円滑に供給することができる。
【００６１】
上述した実施形態によれば、燃焼器２側において、ディフューザ外壁５０の後端及びディフューザ内壁５３（５３Ａ）の後端５３ｂが、二重環状をなしており、ディフューザ内壁５３（５３Ａ）に第２の埋め込み型ダクト７が設けられているので、圧縮機１から供給された圧縮空気の一部を、拡大流路Ｃ１を通じて環状にして燃焼器２の給気口２４に供給することができ、また、圧縮空気の流れの一部を、第２の埋め込み型ダクト７を通じて、燃焼器２の給気口２５に供給することができる。このように第２の埋め込み型ダクト７を通じて圧縮空気の流れを分けることで、燃焼器２に対する圧縮空気の供給分布を調整することができ、燃焼器２の燃焼効率を向上させることができる。
例えば、パイロット燃焼バーナ２１Ａに比べ、より多くの圧縮空気を、拡大流路Ｃ１及び給気口２４を通じてメイン燃焼バーナ２１Ｂに供給することにより、燃焼器２の燃焼効率を向上させることができる。
【００６２】
また、上述した実施形態に係る圧縮機ディフューザ５Ａ〜５Ｅ，５Ｙ，５Ｚによれば、ディフューザ内壁５３の先端５３ａが閉塞されており、開口していないので、圧縮機１から供給された圧縮空気が低損失にて拡大流路Ｃ１に流入することができる。
【００６３】
図９に示すように、幾つかの実施形態に係るディフューザ内壁５３Ａは、横断面視にて円形状の輪郭を有する。ディフューザ内壁５３Ａは、例えば、先端５３ａＡが丸められた、横断面が円形状の輪郭を有する円錐形状であって、圧縮機１側から燃焼器２側に向けて断面積が徐々に拡大し、その後端５３ｂＡが内筒２１Ｃの外径と一致するように形成され、その内部に内部流路Ｃ２Ａが区画されている。
上述した実施形態に係るディフューザ内壁５３Ａによれば、横断面視にて円形状の輪郭を有するので、簡単な構成にて、拡大流路Ｃ１の流路面積の変化を抑制することができる。
【００６４】
図１０に示すように、幾つかの実施形態に係るディフューザ内壁５３Ｂは、横断面視にて楕円形状の輪郭を有する。ディフューザ内壁５３Ｂは、例えば、先端５３ａＢが丸められた、横断面が楕円形状の輪郭を有する円錐形状であって、圧縮機１側から燃焼器２側に向けて横断面が楕円形状から円形状に徐々に変化し、その後端５３ｂＢが内筒２１Ｃの外径と一致するように形成され、その内部に内部流路Ｃ２Ｂが区画されている。
上述した実施形態に係るディフューザ内壁５３Ｂによれば、横断面視にて楕円形状の輪郭を有するので、ディフューザ外壁５０が圧縮機１側に扇形状の開口５１を有していても、拡大流路Ｃ１の流路面積の変化を的確に抑制することができる。
【００６５】
また、ディフューザ内壁５３Ｂが横断面視にて楕円形状の輪郭を有する領域に第２の埋め込み型ダクト７を設置することで、ディフューザ内壁５３Ｂにおける曲率の小さい領域に第２の埋め込み型ダクト７を設置することができる。この結果として、第２の埋め込み型ダクト７の形状を簡単にすることができる。
【００６６】
図１１に示すように、幾つかの実施形態に係るディフューザ内壁５３Ｃは、圧縮機１側において扇形状の開口５１の中央でタービン軸４を中心とする円弧からなる線状に形成され、燃焼器２側においてディフューザ外壁５０の開口５２よりも小さい円形状に形成される。
ディフューザ内壁５３Ｃは、例えば、円弧からなる線状の先端から円形状の後端に向けて横断面が線状から円形状に徐々に変化し、その後端５３ｂＣが内筒２１Ｃの外径と一致するように形成され、その内部に内部流路Ｃ２Ｃが区画されている。すなわち、ディフューザ内壁５３Ｃは、円弧からなる線状の先端５３ａＣが嘴状に尖っており、後端５３ｂＣに向かって徐々に円形状に変化し、ディフューザ外壁５０の外形を小さくしたような形状に形成され、その内部に内部流路Ｃ２Ｃが区画されている。
ディフューザ内壁５３Ｃは、例えば、図示しない支持部材によりディフューザ外壁５０の内部に支持され、ディフューザ外壁５０の内周面に接触せずに宙に浮いているように配置されている。従って、ディフューザ内壁５３Ｃによって、ディフューザ外壁５０の圧縮機１側の扇形状の開口５１はタービン径方向にて内周側と外周側とに区画されている。
なお、図１１では、ディフューザ内壁５３Ｃの圧縮機１側の先端がディフューザ外壁５０の入口開口５１と面一に配置されているが、ディフューザ内壁５３Ｃの圧縮機１側の先端は、入口開口５１に比べ、圧縮機１から離れていてもよい。
【００６７】
上述した実施形態に係るディフューザ内壁５３Ｃによれば、圧縮機１側において扇形状の開口５１の中央でタービン軸４を中心とする円弧からなる線状に形成され、燃焼器２側においてディフューザ外壁５０の開口５２よりも小さい円形状に形成されるので、ディフューザ外壁５０が圧縮機１側に扇形状の開口５１を有していても、拡大流路Ｃ１の流路面積の変化を的確に抑制することができる。
【００６８】
また、ディフューザ内壁５３Ｃが、圧縮機１側において扇形状の開口５１の中央でタービン軸４を中心とする円弧からなる線状に形成され、燃焼器２側においてディフューザ外壁５０の開口よりも小さい円形状に形成されるので、ディフューザ内壁５３Ｃにおける曲率の小さい領域に第２の埋め込み型ダクト７を設置することができる。この結果として、第２の埋め込み型ダクト７の形状を簡単にすることができる。
【００６９】
図１１に示すように、幾つかの実施形態に係る圧縮機ディフューザ５Ｃは、タービン周方向にてディフューザ内壁５３Ｃの両外側に分割板部５３ｃを有している。分割板部５３ｃは、圧縮機１側から燃焼器２側に至り、タービン軸方向に沿って連続し、かつ、外側圧縮機ディフューザの内周に設置されている。これにより、拡大流路Ｃ１Ｃがタービン径方向にて内周側と外周側とに二分割されている。
上述した実施形態に係る圧縮機ディフューザ５Ｃによれば、圧縮機１側から燃焼器２側に向けて拡大流路Ｃ１Ｃを内周側と外周側とに二分割するので、拡大流路を分割しない場合と比較して拡大流路Ｃ１Ｃの拡大角度が小さくなるため圧力損失を低減することができる。
【００７０】
図１３は、第２の埋め込み型ダクト７の構成を概略的に示す構成図であり、（ａ）は斜視図、（ｂ）は平面図、（ｃ）は縦断面図である。
図１３に示すように、幾つかの実施形態に係る第２の埋め込み型ダクト７の開口７１の後縁（リップ）７１ａは、厚さ方向中央部が圧縮機１に向かって突出する凸形状を有する。
上述した実施形態に係る第２の埋め込み型ダクト７の開口７１の後縁７１ａによれば、厚さ方向中央部が圧縮機１に向かって突出する凸形状を有するので、拡大流路Ｃ１における圧縮空気の流れに乱れが発生することが抑制されるとともに、拡大流路Ｃ１に流入させた圧縮空気の一部が内部流路Ｃ２に円滑に供給される。これにより、拡大流路Ｃ１から内部流路Ｃ２へと、さらに低い圧力損失にて圧縮空気を供給することができる。
幾つかの実施形態では、第２の埋め込み型ダクト７は、いわゆるＮＡＣＡダクトである。
【００７１】
図１４は、ディフューザ内壁５３（５３Ａ〜５３Ｃ）に配置される第２の埋め込み型ダクト７の位置を説明するための模式図である。なお、図１４では、埋め込み型ダクト７の位置を黒丸で示している。埋め込み型ダクト７の数は、埋め込み型ダクト７から内部流路Ｃ２に供給する圧縮空気と各埋め込み型ダクト７の容量によって決定される。
以下では、ディフューザ内壁５３Ａ〜５３Ｃを一括してディフューザ内壁５３とも称する。
図１４（ａ）に示すように、幾つかの実施形態に係る第２の埋め込み型ダクト７は、埋め込み型ダクト７が一つで十分な場合、ディフューザ内壁５３の外周にて周方向に任意の位置に一つ設置される。
第２の埋め込み型ダクト７は、例えば、タービン径方向外側に一つ設置される。
上述した実施形態に係る第２の埋め込み型ダクト７によれば、タービン径方向外側に一つ設置されるので、燃焼器ケーシング２３にメンテナンス用に開放可能な蓋（図示せず）を設置すれば、燃焼器２等を取り外さなくても、埋め込み型ダクト７にアクセスしやすくなる。
【００７２】
図１４（ｂ）から図１４（ｄ）に示すように、幾つかの実施形態に係る第２の埋め込み型ダクト７は、ディフューザ内壁５３の外周にて周方向に複数設置される。
第２の埋め込み型ダクト７は、例えば、ディフューザ内壁５３の外周にて周方向に２個（図１４（ｂ））、３個（図１４（ｃ））又は４個（図１４（ｄ））設置される。
上述した実施形態に係る第２埋め込み型ダクト７によれば、ディフューザ内壁５３の外周にて周方向に複数設置されるので、拡大流路Ｃ１に流入させた圧縮空気の一部が複数の埋め込み型ダクト７から内部流路Ｃ２に供給される。これにより、拡大流路Ｃ１から内部流路Ｃ２へと、さらに低い圧力損失にて圧縮空気を供給することができる。
【００７３】
図１４（ｂ）から図１４（ｄ）に示すように、幾つかの実施形態に係る複数の第２の埋め込み型ダクト７は、ディフューザ内壁５３の外周にて周方向に等分する位置に設置される。
第２の埋め込み型ダクト７は、例えば、ディフューザ内壁５３の外周にて周方向に二等分する位置（図１４（ｂ））、三等分する位置（図１４（ｃ））又は四等分する位置（図１４（ｄ））に設置される。
上述した実施形態に係る第２の埋め込み型ダクト７によれば、ディフューザ内壁５３の外周にて周方向に等分する位置に設置されるので、拡大流路Ｃ１に流入させた圧縮空気の一部が複数の第２の埋め込み型ダクト７から均等に内部流路Ｃ２に供給される。これにより、拡大流路Ｃ１から内部流路Ｃ２へと、さらに低い圧力損失にて圧縮空気を供給することができる。
【００７４】
図１６は、一実施形態に係る第１の埋め込み型ダクト６及び第１の延伸ディフューザ６２の構成を概略的に示す構成図であり、図１７は、一実施形態に係る第２の埋め込みダクト７及び第２の延伸ディフューザ７２の構成を概略的に示す構成図である。
【００７５】
図１５及び図１６に示すように、幾つかの実施形態では、圧縮機ディフューザ５は、第１の延伸ディフューザ６２を更に備える。第１の延伸ディフューザ６２は、ディフューザ外壁５０の外側にて第１の埋め込み型ダクト６の後端開口に接続され、ディフューザ外壁５０との間に圧縮機１側から燃焼器２側に向かって徐々に断面積が拡大する延伸流路を区画する。なお、第１の埋め込み型ダクト６の後端開口は、第１の埋め込み型ダクト６の底面及び側面の後縁によって区画され、四角形状を有している。
【００７６】
上述した実施形態に係る圧縮機ディフューザ５によれば、ディフューザ外壁５０の外側にて第１の埋め込み型ダクトの後端開口に接続され、ディフューザ外壁５０との間に圧縮機１側から燃焼器２側に向かって徐々に断面積が拡大する延伸流路を区画する第２の延伸ディフューザをさらに備えるので、第１の埋め込み型ダクトからディフューザ外壁の外側の空間に抽気された圧縮空気の流れの急拡大が抑制され、圧力損失を抑制することができる。
【００７７】
図１５及び図１７に示すように、幾つかの実施形態では、圧縮機ディフューザ５は、第２の延伸ディフューザ７２をさらに備える。
第２の延伸ディフューザ７２は、ディフューザ内壁５３の内側にて第２の埋め込み型ダクト７の後端開口に接続され、ディフューザ内壁５３との間に圧縮機１側から燃焼器２側に向かって徐々に断面積が拡大する第２の延伸流路を区画する。なお、第２の埋め込み型ダクト７の後端開口は、第２の埋め込み型ダクト７の底面及び側面の後縁によって区画され、四角形状を有している。
上述した実施形態に係る圧縮機ディフューザ５によれば、ディフューザ内壁５３の内側にて埋め込み型ダクト７の後端開口に接続され、ディフューザ内壁５３との間に圧縮機１側から燃焼器２側に向かって徐々に断面積が拡大する第２の延伸流路を区画する第２の延伸ディフューザ７２をさらに備えるので、第１の埋め込み型ダクト７から内部流路Ｃ２に供給された圧縮空気の流れの急拡大が抑制され、圧力損失を抑制することができる。
【００７８】
上述した実施形態に係るガスタービン１０によれば、圧縮機１から燃焼器２の燃焼筒２１に供給される圧縮空気の圧力損失を低減することができるので、ガスタービン１０の効率を向上させることができる。
【００７９】
本発明は上述した実施形態に限定されることはなく、上述した実施形態に変形を加えた形態や、これらの形態を適宜組み合わせた形態も含む。
【符号の説明】
【００８０】
１    圧縮機
１１    空気取入口
１２    圧縮機ケーシング
１３    圧縮機静翼
１４    圧縮機動翼
１６    出口
２    燃焼器
２１    燃焼筒
２１Ａ    パイロット燃焼バーナ
２１Ａａ    パイロットコーン
２１Ａｂ    パイロットノズル
２１Ｂ    メイン燃焼バーナ
２１Ｂａ    メインノズル
２１Ｂｂ    旋回翼
２１Ｃ    内筒
２２    尾筒
２３    燃焼器ケーシング
２４，２５    給気口
３    タービン
３１    タービンケーシング
３２    タービン静翼
３３    タービン動翼
３４    排気室
３４ａ    排気ディフューザ
４    タービン軸（回転軸）
４１，４２    軸受部
４３    中間軸カバー
５，５Ｃ，５Ｄ    圧縮機ディフューザ
５０    ディフューザ外壁
５１    扇形状の開口（入口開口）
５２  円形状の開口（出口開口）
５３，５３Ａ，５３Ｂ，５３Ｃ    ディフューザ内壁
５３ａ，５３ａＡ，５３ａＢ，５３ａＣ    先端
５３ｂ，５３ｂＡ，５３ｂＢ，５３ｂＣ    後端
５３ｃ    分割板部
６    第１の埋め込み型ダクト（ＮＡＣＡダクト）
６１    開口
６１ａ    後縁
６２    第１の延伸ディフューザ
７    第２の埋め込み型ダクト（ＮＡＣＡダクト）
７１    開口
７１ａ    後縁
７２    第２の延伸ディフューザ
８    冷却装置
８１    排気管
８２    給気管
８３    冷却管
８４    熱交換器
１０    ガスタービン
Ａ１    内側領域
Ａ２    外側領域
Ｃ１    拡大流路
Ｃ２    内部流路
Ｃ３    延伸流路
Ｃ    タービン軸の軸線
Ｃ１，Ｃ１Ｃ    拡大流路
Ｃ２，Ｃ２Ａ，Ｃ２Ｂ，Ｃ２Ｃ  内部流路
Ｃ３    延伸流路
Ｒ    車室
Ｗ１    第１の埋め込み型ダクトの開口の幅
Ｈ１    第１の埋め込み型ダクトの開口の深さ
Ｗ２    第２の埋め込み型ダクトの開口の幅
Ｈ２    第２の埋め込み型ダクトの開口の深さ
【図１】
2018096324.tif 000003
【図２】
2018096324.tif 000004
【図３】
2018096324.tif 000005
【図４】
2018096324.tif 000006
【図５】
2018096324.tif 000007
【図６】
2018096324.tif 000008
【図７】
2018096324.tif 000009
【図８】
2018096324.tif 000010
【図９】
2018096324.tif 000011
【図１０】
2018096324.tif 000012
【図１１】
2018096324.tif 000013
【図１２】
2018096324.tif 000014
【図１３】
2018096324.tif 000015
【図１４】
2018096324.tif 000016
【図１５】
2018096324.tif 000017
【図１６】
2018096324.tif 000018
【図１７】
2018096324.tif 000019